(57)【要約】【課題】電子メールに含まれる内容に基づく広告情報を電子メールと共に送信して高い広告効果を発揮する広告メールシステム及び広告メール送信方法を提供すること。【解決手段】本発明の広告メール送信方法は、送信端末１Ａからの広告メールを移動通信センタ３で受信し、前記移動通信センタ３において、前記広告メールの本文に、あらかじめ蓄積された広告情報を付与し、前記広告情報が付与された広告メールを受信端末１Ｂに送信することを特徴とする。【選択図】図３
2009251834.tif 000002
【特許請求の範囲】
【請求項１】
広告メールでの送信が可能な送信端末と、広告情報を蓄積する広告蓄積手段、前記広告メールの本文に前記広告情報を付与する合成処理手段及び前記広告情報が付与された広告メールを受信端末に送信する通信制御手段を有する移動通信センタと、を具備することを特徴とする広告メールシステム。
【請求項２】
前記移動通信センタは、前記広告メールの本文からキーワードを抽出する抽出手段と、抽出されたキーワードに対応する広告情報を選択する広告選択手段と、を有することを特徴とする請求項１記載の広告メールシステム。
【請求項３】
前記移動通信センタは、ユーザ情報を格納する格納手段と、前記送信端末のユーザ情報から属性を判定する判定手段と、を有し、前記抽出手段は、判定された属性に応じてキーワードを抽出することを特徴とする請求項２記載の広告メールシステム。
【請求項４】
前記抽出手段は、複数のキーワードを含むキーワードリストを有し、前記広告選択手段は、前記キーワードリストに含まれるキーワードと前記広告情報とを関連づけた第１テーブルを有することを特徴とする請求項２又は請求項３記載の広告メールシステム。
【請求項５】
前記判定手段は、複数のキーワードリストと、属性及び前記キーワードリストを関連づけた第２テーブルとを有し、前記第２テーブルを用いて、判定された属性に対応するキーワードリストを特定することを特徴とする請求項３記載の広告メールシステム。
【請求項６】
前記キーワードリストには、絵文字が含まれていることを特徴とする請求項４又は請求項５記載の広告メールシステム。
【請求項７】
前記広告情報がＵＲＬを含んでおり、前記受信端末からアクセス可能であることを特徴とする請求項１から請求項６のいずれかに記載の広告メールシステム。
【請求項８】
送信端末からの広告メールを移動通信センタで受信する工程と、前記移動通信センタにおいて、前記広告メールの本文に、あらかじめ蓄積された広告情報を付与する工程と、前記広告情報が付与された広告メールを受信端末に送信する工程と、を具備することを特徴とする広告メール送信方法。
【請求項９】
前記移動通信センタにおいて、前記広告メールの本文からキーワードを抽出する工程と、抽出されたキーワードに対応する広告情報を選択する工程と、を有することを特徴とする請求項８記載の広告メール送信方法。
【請求項１０】
前記移動通信センタにおいて、前記送信端末のユーザ情報から属性を判定する工程を有し、判定された属性に応じてキーワードを抽出する工程と、を有することを特徴とする請求項９記載の広告メール送信方法。
【発明の詳細な説明】
【技術分野】
【０００１】
本発明は、携帯端末を用いた広告メールシステム及び広告メール送信方法に関する。
【背景技術】
【０００２】
従来、利用者の情報端末に広告情報を配信するシステムとしては、例えば、バナー広告のように、不特定多数の被広告者に、被広告者の嗜好や興味の対象を考慮せずに広告情報を配信するものがある。しかしながら、これらの広告は、全ての受信者に同じ内容の広告情報が配信されるので、受信者へ訴求効果が低いという問題がある。この点を解決するために、被広告者の嗜好や興味の対象である関心事に関する広告情報を配信することのできる電子メールシステムがある（特許文献１）。
【０００３】
この電子メールシステムは、送信元携帯電話機からの電子メールを送信先携帯電話機に配信するとともに、この電子メールに含まれるキーワードと一致するキーワードに対応付けた広告情報を電子メールの送信元携帯電話機及び／又は電子メールの送信先携帯電話機に対して配信するシステムである。
【特許文献１】特開２００７−１９９８２１号公報
【発明の開示】
【発明が解決しようとする課題】
【０００４】
しかしながら、上記電子メールシステムにおいては、電子メールとは別に広告情報を電子メールの送信者及び／又は受信者に配信している。このため、電子メールに含まれる内容に基づく広告情報であっても、電子メール本文とは別に配信されるために、広告効果が十分でないと考えられる。
【０００５】
本発明はかかる点に鑑みてなされたものであり、電子メールに含まれる内容に基づく広告情報を電子メールと共に送信して高い広告効果を発揮する広告メールシステム及び広告メール送信方法を提供することを目的とする。
【課題を解決するための手段】
【０００６】
本発明の広告メールシステムは、広告メールでの送信が可能な送信端末と、広告情報を蓄積する広告蓄積手段、前記広告メールの本文に前記広告情報を付与する合成処理手段及び前記広告情報が付与された広告メールを受信端末に送信する通信制御手段を有する移動通信センタと、を具備することを特徴とする。
【０００７】
この構成によれば、送信端末からの広告メールについて、移動通信センタにおいてメール本文に広告情報を付与し、広告情報が付与された広告メールを受信端末に送信するので、電子メールに含まれる内容に基づく広告情報を電子メールと共に送信することができる。このため、受信メールを開く通常の操作で広告情報が付与されたメールを見ることができ、高い広告効果を発揮することができる。また、広告メールを送信するかどうかを選択することができるので、広告メールを望まないユーザに対しても柔軟に対応することが可能となる。
【０００８】
本発明の広告メールシステムにおいては、前記移動通信センタは、前記広告メールの本文からキーワードを抽出する抽出手段と、抽出されたキーワードに対応する広告情報を選択する広告選択手段と、を有することが好ましい。この構成によれば、メール本文に含まれるキーワードに応じて広告情報を選択しているので、メール本文の内容に沿った広告情報をメールに付与することができ、より高い広告効果を発揮することができる。
【０００９】
本発明の広告メールシステムにおいては、前記移動通信センタは、ユーザ情報を格納する格納手段と、前記送信端末のユーザ情報から属性を判定する判定手段と、を有し、前記抽出手段は、判定された属性に応じてキーワードを抽出することが好ましい。この構成によれば、属性を用いてメール本文に含まれるキーワードに応じて広告情報を選択しているので、メール本文の内容に沿った広告情報をメールに付与することができ、より高い広告効果を発揮することができる。
【００１０】
本発明の広告メールシステムにおいては、前記抽出手段は、複数のキーワードを含むキーワードリストを有し、前記広告選択手段は、前記キーワードリストに含まれるキーワードと前記広告情報とを関連づけた第１テーブルを有することが好ましい。
【００１１】
本発明の広告メールシステムにおいては、前記判定手段は、複数のキーワードリストと、属性及び前記キーワードリストを関連づけた第２テーブルとを有し、前記第２テーブルを用いて、判定された属性に対応するキーワードリストを特定することが好ましい。
【００１２】
本発明の広告メールシステムにおいては、前記キーワードリストには、絵文字が含まれていることが好ましい。
【００１３】
本発明の広告メールシステムにおいては、前記広告情報がＵＲＬを含んでおり、前記受信端末からアクセス可能であることが好ましい。
【００１４】
本発明の広告メール送信方法は、送信端末からの広告メールを移動通信センタで受信する工程と、前記移動通信センタにおいて、前記広告メールの本文に、あらかじめ蓄積された広告情報を付与する工程と、前記広告情報が付与された広告メールを受信端末に送信する工程と、を具備することを特徴とする。
【００１５】
この方法によれば、送信端末からの広告メールについて、移動通信センタにおいてメール本文に広告情報を付与し、広告情報が付与された広告メールを受信端末に送信するので、電子メールに含まれる内容に基づく広告情報を電子メールと共に送信することができる。このため、受信メールを開く通常の操作で広告情報が付与されたメールを見ることができ、高い広告効果を発揮することができる。また、広告メールを送信するかどうかを選択することができるので、広告メールを望まないユーザに対しても柔軟に対応することが可能となる。
【００１６】
本発明の広告メール送信方法においては、前記移動通信センタにおいて、前記広告メールの本文からキーワードを抽出する工程と、抽出されたキーワードに対応する広告情報を選択する工程と、を有することが好ましい。この方法によれば、メール本文に含まれるキーワードに応じて広告情報を選択しているので、メール本文の内容に沿った広告情報をメールに付与することができ、より高い広告効果を発揮することができる。
【００１７】
本発明の広告メール送信方法においては、前記移動通信センタにおいて、前記送信端末のユーザ情報から属性を判定する工程を有し、判定された属性に応じてキーワードを抽出する工程と、を有することが好ましい。この方法においては、属性を用いてメール本文に含まれるキーワードに応じて広告情報を選択しているので、メール本文の内容に沿った広告情報をメールに付与することができ、より高い広告効果を発揮することができる。
【発明の効果】
【００１８】
本発明によれば、送信端末からの広告メールを移動通信センタで受信し、前記移動通信センタにおいて、前記広告メールの本文に、あらかじめ蓄積された広告情報を付与し、前記広告情報が付与された広告メールを受信端末に送信するので、電子メールに含まれる内容に基づく広告情報を電子メールと共に送信して高い広告効果を発揮することができる。
【発明を実施するための最良の形態】
【００１９】
以下、本発明の実施の形態について、添付図面を参照して詳細に説明する。
（実施の形態１）
本実施の形態においては、送信端末からの広告メールを移動通信センタで受信し、移動通信センタにおいて、広告メールの本文に、あらかじめ蓄積された広告情報を付与し、広告情報が付与された広告メールを受信端末に送信する態様について説明する。
【００２０】
図１は、本発明の実施の形態に係る広告メールシステムを示す図である。図１に示すシステムは、携帯端末１Ａ，１Ｂと、この携帯端末１Ａ，１Ｂと移動通信網２を介して接続された移動通信センタ３と、移動通信センタ３に対して広告情報をインターネット４のようなネットワークを介してアップロードする広告主５から主に構成されている。
【００２１】
ここでは、携帯端末１Ａ（送信側）が携帯端末１Ｂ（受信側）に対して広告メールを送信する場合について説明する。また、携帯端末１Ａ，１Ｂは、オペレーティングシステム（移動機ＯＳ）を有しており、移動機ＯＳ上でブラウザ機能、ビューワ機能、ＪＡＭ（Java（登録商標） Application Manager）その他の機能が動作する。
【００２２】
携帯端末１Ａ，１Ｂは、移動通信網２を介して他の携帯端末や広告主５その他のサーバとの間で通信を行う通信制御部と、種々のデータや情報を表示する表示部と、電話帳をはじめ種々のデータを格納する格納部と、装置に搭載され、あるいはダウンロードされた種々のアプリケーションを起動するアプリ制御部とを備えている。また、携帯端末１Ａ，１Ｂは、通常の携帯端末に搭載される構成要素は備えているものとする。また、携帯端末１Ａ，１Ｂは、ユーザの選択により、あるいは、事前の設定により、広告メールでの送信が可能である。例えば、ユーザがメールを作成する際に、広告メール（メール本文に広告情報が付与されたメール）を選択することができても良く、メール設定においてあらかじめ広告メールでメールを作成することを設定しても良い。
【００２３】
移動通信網２は、携帯端末１Ａ，１Ｂと移動通信センタ３との間のネットワークである。この移動通信網２には、通常の移動通信網に加えて移動パケット通信網も含まれる。また、移動通信センタ３は、例えばｉモード（登録商標）サーバなどを有すると共に、移動通信網２とインターネットとを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００２４】
移動通信センタ３は、広告主５からの広告情報を蓄積すると共に、広告メールのメール本文に広告情報を付与し、広告情報が付与された広告メールを受信側の携帯端末に送信する。また、移動通信センタ３は、送信側の携帯端末１Ａからのメールを受信したとき、及び受信側の携帯端末１Ｂにおいて広告情報に含まれるリンク先にアクセスしたときに、携帯端末１Ａ，１Ｂのユーザに対してポイントを加算する。
【００２５】
図２は、図１に示すシステムにおける実施の形態１に係る移動通信センタ３の概略構成を示すブロック図である。図２に示す移動通信センタ３は、装置全体を制御する制御部３１と、移動通信網２を介して携帯端末１Ａ，１Ｂやインターネット４を介して広告主５との間で通信を行う通信制御部３２と、送信側の携帯端末１Ａからのメールの本文に広告情報を付与する合成処理部３３と、送信端末からのメールを受信したとき、及び受信端末において広告情報に含まれるリンク先にアクセスしたときに、携帯端末のユーザに対して加算されるポイントを蓄積するポイント蓄積部３４と、広告主５からの広告情報を蓄積する広告蓄積部３５とから主に構成されている。
【００２６】
通信制御部３２は、送信側の携帯端末１Ａからのメールを受信すると共に、受信したメールを受信側の携帯端末１Ｂに送信する。また、通信制御部３２は、広告主５から送られた広告情報を受信する。
【００２７】
ポイント蓄積部３４は、携帯端末のユーザと蓄積ポイントとを関連づけて格納する。例えば、ポイント蓄積部３４は、各携帯端末のユーザと蓄積ポイントとを関連づけたテーブルを有しており、送信端末からのメールを受信したとき、及び受信端末において広告情報に含まれるリンク先にアクセスしたときに、逐次あるいは定期的に前記テーブルのポイントを更新する。
【００２８】
広告蓄積部３５は、広告主５のコンテンツサーバから送られた広告情報を蓄積する。ここで、広告情報としては、広告主５で作成した広告文、広告主５のサイトにアクセスするためのＵＲＬ、静止画像、動画像、テキストデータ、絵文字などを含む。また、ＭＩＤＩ（Musical Instrument Digital Interface）ファイル、ＭＰ３ファイルなどの音源ファイルを添付して、受信者がメールを開いた際にそれらの音源を再生するようにしても良い。
【００２９】
次に、本発明の実施の形態１に係る広告メール送信方法について説明する。
図３は、本発明の実施の形態１に係る広告メール送信方法を説明するためのシーケンス図である。ユーザが広告メール（広告情報がメール本文に付与されたメール）を送信しようとする場合、まず、図４（ａ）に示すように、送信側の携帯端末１Ａにおいて広告メールで送信することを選択する（ＳＴ１１）。なお、あらかじめ広告メールで送信する設定になっている場合には、携帯端末１Ａでメールを作成する際には広告メールのモードになる。
【００３０】
前記広告メールの選択のステップに拘わらず、あらかじめ広告主５から移動通信センタ３に対して、広告メールに付与するための広告情報がアップロードされており（ＳＴ１２）、この広告情報が広告蓄積部３５に蓄積される。
【００３１】
図４（ｂ）に示すように、送信側の携帯端末１Ａでメールが作成されて、このメールが送信されると（ＳＴ１３）、移動通信センタ３の通信制御部３２で受信される。移動通信センタ３においては、この受信したメールが広告メールであるかどうかを識別する（ＳＴ１４）。この広告メールであるかどうかについては、広告メールのヘッダ情報、もしくは通信パケットのうち特定ビットフラグの有無により識別することができる。そして、受信したメールが広告メールであると識別されると、合成処理部３３により、広告蓄積部３５に蓄積された広告情報をメールの本文に付与する（ＳＴ１５）。このメール本文への広告情報の付与は、広告内容がテキストデータ、絵文字又はＵＲＬの場合はそれらをメール本文の末尾に挿入し、それ以外の場合は添付形式としてメールに添付することにより行うことができる。そして、通信制御部３２は、広告情報が付与されたメール本文（広告メール）を受信側の携帯端末１Ｂに送信する（ＳＴ１６）。また、移動通信センタ３においては、送信側の携帯端末１Ａのユーザに対して所定のポイントを付与する。この場合、ポイント蓄積部３４は、受信したメールの送信元のアドレスから送信側の携帯端末１Ａのユーザを特定し、この特定したユーザのポイントに今回獲得したポイントを加算する。
【００３２】
受信側の携帯端末１Ｂで広告メールを通信制御部で受信して、図４（ｃ）に示すように、表示部で表示する（ＳＴ１７）。そして、携帯端末１Ｂのユーザが広告情報のＵＲＬ部分をクリックすると、広告主５のサイトにアクセスして（ＳＴ１８）、図４（ｄ）に示すように、サイト画面が表示される。携帯端末１Ｂから広告主５のサイトには、携帯端末１Ｂから移動通信網２、移動通信センタ３及びインターネット４を介してアクセスされるので、移動通信センタ３において、受信側の携帯端末１Ｂのユーザに対して所定のポイントを付与する。この場合、ポイント蓄積部３４は、アクセス元のアドレスから受信側の携帯端末１Ｂのユーザを特定し、この特定したユーザのポイントに今回獲得したポイントを加算する。
【００３３】
このように本実施の形態によれば、送信端末からの広告メールについて、移動通信センタにおいてメール本文に広告情報を付与し、広告情報が付与された広告メールを受信端末に送信するので、電子メールに含まれる内容に基づく広告情報を電子メールと共に送信することができる。このため、受信メールを開く通常の操作で広告情報が付与されたメールを見ることができ、高い広告効果を発揮することができる。また、広告メールを送信するかどうかを選択することができるので、広告メールを望まないユーザに対しても柔軟に対応することが可能となる。
【００３４】
（実施の形態２）
本実施の形態においては、送信端末からの広告メールを移動通信センタで受信し、移動通信センタで、広告メールの本文からキーワードを抽出し、抽出されたキーワードに対応する広告情報を選択して、その広告情報を広告メールの本文に付与し、広告情報が付与された広告メールを受信端末に送信する態様について説明する。
【００３５】
本実施の形態において、システム構成は図１と同じであるので説明を省略する。
図５は、図１に示すシステムにおける実施の形態２に係る移動通信センタ３の概略構成を示すブロック図である。図５に示す移動通信センタ３は、装置全体を制御する制御部３１と、移動通信網２を介して携帯端末１Ａ，１Ｂやインターネット４を介して広告主５との間で通信を行う通信制御部３２と、送信側の携帯端末１Ａからのメールの本文に広告情報を付与する合成処理部３３と、送信端末からのメールを受信したとき、及び受信端末において広告情報に含まれるリンク先にアクセスしたときに、携帯端末のユーザに対して加算されるポイントを蓄積するポイント蓄積部３４と、広告主５からの広告情報を蓄積する広告蓄積部３５と、広告メールの本文からキーワードを抽出する抽出部３６と、抽出されたキーワードに対応する広告情報を広告蓄積部３５から選択する広告選択部３７とから主に構成されている。
【００３６】
制御部３１、通信制御部３２、合成処理部３３、ポイント蓄積部３４及び広告蓄積部３５については、図２に示す移動通信センタと同じであるので、それぞれの説明を省略する。
【００３７】
抽出部３６は、広告メールの本文からキーワードを抽出する。例えば、抽出部３６は、図６に示すような複数のキーワードを含むキーワードリストを有しており、図６に示すキーワードリストのキーワードが広告メール本文に含まれているかどうかを判断する。すなわち、キーワードリストに挙げられているキーワードとメール本文とを照合して、一致するキーワードを抽出する。
【００３８】
広告選択部３７は、抽出部３６で抽出されたキーワードに対応する広告情報を広告蓄積部３５から選択する。例えば、広告選択部３７は、図７に示すようなキーワードリストに含まれるキーワードと広告情報とを関連づけたテーブルを有しており、このテーブルを参照して、抽出部３６で抽出されたキーワードに対応する広告情報を選択する。
【００３９】
なお、キーワードとメール本文とを照合する順序や、複数のキーワードが抽出された際にどのキーワードを広告選択に用いるかについては特に制限はない。例えば、複数のキーワードが抽出された際には、メール本文に登場した回数が多いキーワードを広告選択に用いるキーワードとする。この場合、メール本文にキーワードが登場した回数をカウントしておく必要がある。あるいは、図７に示すように、キーワードに優先度をつけておき、複数のキーワードが抽出された際には、優先度の高いキーワードを広告選択に用いるキーワードとする。
【００４０】
上述したキーワードリストには、絵文字が含まれていることが好ましい。絵文字は、メール本文において、キーワードと同等の意味を持つ場合が多いので、絵文字を抽出して広告選択することにより、メール本文の内容に沿った広告情報をメールに付与することができる。
【００４１】
次に、本発明の実施の形態２に係る広告メール送信方法について説明する。
図８は、本発明の実施の形態２に係る広告メール送信方法を説明するためのシーケンス図である。ユーザが広告メール（広告情報がメール本文に付与されたメール）を送信しようとする場合、まず、図４（ａ）に示すように、送信側の携帯端末１Ａにおいて広告メールで送信することを選択する（ＳＴ２１）。なお、あらかじめ広告メールで送信する設定になっている場合には、携帯端末１Ａでメールを作成する際には広告メールのモードになる。
【００４２】
前記広告メールの選択のステップに拘わらず、あらかじめ広告主５から移動通信センタ３に対して、広告メールに付与するための広告情報がアップロードされており（ＳＴ２２）、この広告情報が広告蓄積部３５に蓄積される。
【００４３】
図４（ｂ）に示すように、送信側の携帯端末１Ａでメールが作成されて、このメールが送信されると（ＳＴ２３）、移動通信センタ３の通信制御部３２で受信される。移動通信センタ３においては、この受信したメールが広告メールであるかどうかを識別する（ＳＴ２４）。この広告メールであるかどうかについては、広告メールのヘッダ情報、もしくは通信パケットのうち特定ビットフラグの有無により識別することができる。そして、受信したメールが広告メールであると識別されると、抽出部３６において、図６に示すキーワードリストに挙げられているキーワードとメール本文とを照合して、一致するキーワードを抽出する（ＳＴ２５）。そして、広告選択部３７において、抽出されたキーワードを用いて図７に示すテーブルを参照して、抽出されたキーワードに対応する広告情報を広告蓄積部３５から選択する（ＳＴ２６）。
【００４４】
次いで、合成処理部３３により、選択された広告情報をメールの本文に付与する（ＳＴ２７）。このメール本文への広告情報の付与は、広告内容がテキストデータ、絵文字又はＵＲＬの場合はそれらをメール本文の末尾に挿入し、それ以外の場合は添付形式としてメールに添付することにより行うことができる。そして、通信制御部３２は、広告情報が付与されたメール本文（広告メール）を受信側の携帯端末１Ｂに送信する（ＳＴ２８）。また、移動通信センタ３においては、送信側の携帯端末１Ａのユーザに対して所定のポイントを付与する。この場合、ポイント蓄積部３４は、受信したメールの送信元のアドレスから送信側の携帯端末１Ａのユーザを特定し、この特定したユーザのポイントに今回獲得したポイントを加算する。
【００４５】
受信側の携帯端末１Ｂで広告メールを通信制御部で受信して、図４（ｃ）に示すように、表示部で表示する（ＳＴ２９）。そして、携帯端末１Ｂのユーザが広告情報のＵＲＬ部分をクリックすると、広告主５のサイトにアクセスして（ＳＴ３０）、図４（ｄ）に示すように、サイト画面が表示される。携帯端末１Ｂから広告主５のサイトには、携帯端末１Ｂから移動通信網２、移動通信センタ３及びインターネット４を介してアクセスされるので、移動通信センタ３において、受信側の携帯端末１Ｂのユーザに対して所定のポイントを付与する。この場合、ポイント蓄積部３４は、アクセス元のアドレスから受信側の携帯端末１Ｂのユーザを特定し、この特定したユーザのポイントに今回獲得したポイントを加算する。
【００４６】
このように本実施の形態では、メール本文に含まれるキーワードに応じて広告情報を選択しているので、メール本文の内容に沿った広告情報をメールに付与することができ、より高い広告効果を発揮することができる。
【００４７】
（実施の形態３）
本実施の形態においては、送信端末からの広告メールを移動通信センタで受信し、移動通信センタで、送信端末のユーザ情報から属性を判定し、判定された属性に応じて広告メール本文からキーワードを抽出し、抽出されたキーワードに対応する広告情報を選択して、その広告情報を広告メールの本文に付与し、広告情報が付与された広告メールを受信端末に送信する態様について説明する。
【００４８】
本実施の形態において、システム構成は図１と同じであるので説明を省略する。
図９は、図１に示すシステムにおける実施の形態３に係る移動通信センタ３の概略構成を示すブロック図である。図９に示す移動通信センタ３は、装置全体を制御する制御部３１と、移動通信網２を介して携帯端末１Ａ，１Ｂやインターネット４を介して広告主５との間で通信を行う通信制御部３２と、送信側の携帯端末１Ａからのメールの本文に広告情報を付与する合成処理部３３と、送信端末からのメールを受信したとき、及び受信端末において広告情報に含まれるリンク先にアクセスしたときに、携帯端末のユーザに対して加算されるポイントを蓄積するポイント蓄積部３４と、広告主５からの広告情報を蓄積する広告蓄積部３５と、広告メールの本文からキーワードを抽出する抽出部３６と、抽出されたキーワードに対応する広告情報を広告蓄積部３５から選択する広告選択部３７と、送信端末のユーザ情報から属性を判定する属性判定部３８と、ユーザ情報を格納するユーザ情報データベース（ＤＢ）３９とから主に構成されている。
【００４９】
制御部３１、通信制御部３２、合成処理部３３、ポイント蓄積部３４、広告蓄積部３５、抽出部３６及び広告選択部３７については、図５に示す移動通信センタと同じであるので、それぞれの説明を省略する。
【００５０】
属性判定部３８は、送信端末のユーザ情報から属性を判定する。例えば、属性判定部３８は、複数のキーワードリストと、図１０に示すような属性及びキーワードリストを関連づけたテーブルを有しており、このテーブルを参照して、属性に対応するキーワードリストを特定する。そして、実施の形態２と同様にして、抽出部３６において、特定されたキーワードリストに挙げられているキーワードとメール本文とを照合して、一致するキーワードを抽出する。このようにして、抽出部３６は、判定された属性に応じてキーワードを抽出する。その後、広告選択部３７において、抽出部３６で抽出されたキーワードに対応する広告情報を広告蓄積部３５から選択する。例えば、受信側の携帯端末１Ｂのユーザの属性が２０代の男性であれば、図１０に示すキーワードリストからキーワードリストＡを特定し、そのキーワードリストＡに含まれるキーワードを用いて実施の形態と同様にしてキーワードを抽出して、このキーワードに対応する広告情報を選択する。
【００５１】
ユーザ情報ＤＢ３９には、ユーザの属性情報が格納されている。この属性情報としては、送信側の携帯端末１Ａのユーザ情報（年齢、性別など）、受信側の携帯端末１Ｂのユーザ情報（年齢、性別など）のような個人プロファイルや、メールの送信時間、メールの送信位置、メールの受信位置のような動的プロファイルを含む。
【００５２】
具体的には、属性判定において、次のような利用例が考えられる。
（１）送信側の携帯端末１Ａのアドレスから送信側の携帯端末１Ａのユーザを特定し、ユーザ情報ＤＢ３９を参照してそのユーザのプロファイルを特定して、このプロファイルからキーワードリストを特定する。この場合においては、メール送信時に属性判定が容易である。
【００５３】
（２）受信側の携帯端末１Ｂのアドレスから受信側の携帯端末１Ｂのユーザを特定し、ユーザ情報ＤＢ３９を参照してそのユーザのプロファイルを特定して、このプロファイルからキーワードリストを特定する。この場合においては、実際にメールを見る受信側携帯端末１Ｂのユーザの属性に合わせて広告を送信することができる。
【００５４】
（３）送信側の携帯端末１Ａの位置情報からキーワードリストを特定する。この場合においては、あらかじめ位置情報とキーワードリストとを関連づけるテーブルを準備しておく必要がある。この場合においては、送信側携帯端末１Ａのユーザと受信側携帯端末１Ｂのユーザが同一エリアにいる場合に有効である。また、メール送信時に送信側の携帯端末１Ａから移動通信センタ３に位置情報も送ることにより、移動通信センタでの負荷を小さくすることができる。
【００５５】
（４）受信側の携帯端末１Ｂの位置情報からキーワードリストを特定する。この場合においても、あらかじめ位置情報とキーワードリストとを関連づけるテーブルを準備しておく必要がある。この場合においても、送信側携帯端末１Ａのユーザと受信側携帯端末１Ｂのユーザが同一エリアにいる場合に有効である。また、メール受信時に受信側の携帯端末１Ｂから移動通信センタ３に位置情報も送ることにより、移動通信センタでの負荷を小さくすることができる。
【００５６】
（５）送信側の携帯端末１Ａのメール送信時間からキーワードリストを特定する。この場合においては、あらかじめ時間とキーワードリストとを関連づけるテーブルを準備しておく必要がある。この場合においては、送信時間によって訴求する広告内容を変更することができる。
【００５７】
（６）送信側の携帯端末１Ａのアドレスから送信側の携帯端末１Ａのユーザを特定し、ユーザ情報ＤＢ３９を参照してそのユーザのプロファイルを特定して、このプロファイルと、受信側の携帯端末１Ｂの位置情報とからキーワードリストを特定する。この場合においては、受信側の携帯端末１Ｂのユーザの状況に適した広告を配信することができる。
【００５８】
（７）送信側の携帯端末１Ａのアドレスから送信側の携帯端末１Ａのユーザを特定し、ユーザ情報ＤＢ３９を参照してそのユーザのプロファイルを特定して、このプロファイルと、受信側の携帯端末１Ｂの位置情報と、送信側の携帯端末１Ａのメール送信時間とからキーワードリストを特定する。この場合においては、受信側の携帯端末１Ｂのユーザの状況により適した広告を配信することができる。
【００５９】
次に、本発明の実施の形態３に係る広告メール送信方法について説明する。
図１１は、本発明の実施の形態３に係る広告メール送信方法を説明するためのシーケンス図である。ユーザが広告メール（広告情報がメール本文に付与されたメール）を送信しようとする場合、まず、図４（ａ）に示すように、送信側の携帯端末１Ａにおいて広告メールで送信することを選択する（ＳＴ３１）。なお、あらかじめ広告メールで送信する設定になっている場合には、携帯端末１Ａでメールを作成する際には広告メールのモードになる。
【００６０】
前記広告メールの選択のステップに拘わらず、あらかじめ広告主５から移動通信センタ３に対して、広告メールに付与するための広告情報がアップロードされており（ＳＴ３２）、この広告情報が広告蓄積部３５に蓄積される。
【００６１】
図４（ｂ）に示すように、送信側の携帯端末１Ａでメールが作成されて、このメールが送信されると（ＳＴ３３）、移動通信センタ３の通信制御部３２で受信される。移動通信センタ３においては、この受信したメールが広告メールであるかどうかを識別する（ＳＴ３４）。この広告メールであるかどうかについては、広告メールのヘッダ情報、もしくは通信パケットのうち特定ビットフラグの有無により識別することができる。そして、受信したメールが広告メールであると識別されると、属性判定部３８において属性を判定する（ＳＴ３５）。次いで、上述したようにして属性に基づいてキーワードリストを特定し、特定したキーワードリストから実施の形態２と同様にしてキーワードを抽出する（ＳＴ３６）。そして、広告選択部３７において、抽出されたキーワードを用いて図７に示すテーブルを参照して、抽出されたキーワードに対応する広告情報を広告蓄積部３５から選択する（ＳＴ３７）。
【００６２】
次いで、合成処理部３３により、選択された広告情報をメールの本文に付与する（ＳＴ３８）。このメール本文への広告情報の付与は、広告内容がテキストデータ、絵文字又はＵＲＬの場合はそれらをメール本文の末尾に挿入し、それ以外の場合は添付形式としてメールに添付することにより行うことができる。そして、通信制御部３２は、広告情報が付与されたメール本文（広告メール）を受信側の携帯端末１Ｂに送信する（ＳＴ３９）。また、移動通信センタ３においては、送信側の携帯端末１Ａのユーザに対して所定のポイントを付与する。この場合、ポイント蓄積部３４は、受信したメールの送信元のアドレスから送信側の携帯端末１Ａのユーザを特定し、この特定したユーザのポイントに今回獲得したポイントを加算する。
【００６３】
受信側の携帯端末１Ｂで広告メールを通信制御部で受信して、図４（ｃ）に示すように、表示部で表示する（ＳＴ４０）。そして、携帯端末１Ｂのユーザが広告情報のＵＲＬ部分をクリックすると、広告主５のサイトにアクセスして（ＳＴ４１）、図４（ｄ）に示すように、サイト画面が表示される。携帯端末１Ｂから広告主５のサイトには、携帯端末１Ｂから移動通信網２、移動通信センタ３及びインターネット４を介してアクセスされるので、移動通信センタ３において、受信側の携帯端末１Ｂのユーザに対して所定のポイントを付与する。この場合、ポイント蓄積部３４は、アクセス元のアドレスから受信側の携帯端末１Ｂのユーザを特定し、この特定したユーザのポイントに今回獲得したポイントを加算する。
【００６４】
このように本実施の形態では、属性を用いてメール本文に含まれるキーワードに応じて広告情報を選択しているので、メール本文の内容に沿った広告情報をメールに付与することができ、より高い広告効果を発揮することができる。
【００６５】
本発明は上記実施の形態に限定されず、種々変更して実施することが可能である。例えば、本発明の範囲を逸脱しない限りにおいて、上記説明における数値、処理部、処理手順、表示画面については適宜変更して実施することが可能である。その他、本発明の範囲を逸脱しないで適宜変更して実施することが可能である。
【図面の簡単な説明】
【００６６】
【図１】本発明の実施の形態に係る広告メールシステムの概略構成を示す図である。
【図２】図１に示す広告メールシステムにおける実施の形態１の移動通信センタの概略構成を示すブロック図である。
【図３】本発明の実施の形態１に係る広告メール送信方法を説明するためのシーケンス図である。
【図４】（ａ）〜（ｄ）は、本発明の実施の形態に係る広告メール送信方法における画面表示例を示す図である。
【図５】図１に示す広告メールシステムにおける実施の形態２の移動通信センタの概略構成を示すブロック図である。
【図６】抽出部におけるキーワードリストの一例を示す図である。
【図７】キーワードと広告情報とを関連づけるテーブルの一例を示す図である。
【図８】本発明の実施の形態２に係る広告メール送信方法を説明するためのシーケンス図である。
【図９】図１に示す広告メールシステムにおける実施の形態３の移動通信センタの概略構成を示すブロック図である。
【図１０】属性とキーワードリストとを関連づけるテーブルの一例を示す図である。
【図１１】本発明の実施の形態３に係る広告メール送信方法を説明するためのシーケンス図である。
【符号の説明】
【００６７】
１Ａ，１Ｂ  携帯端末
２  移動通信網
３  移動通信センタ
４  インターネット
５  広告主
３１  制御部
３２  通信制御部
３３  合成処理部
３４  ポイント蓄積部
３５  広告蓄積部
３６  抽出部
３７  広告選択部
３８  属性判定部
３９  ユーザ情報ＤＢ
【図１】
2009251834.tif 000003
【図２】
2009251834.tif 000004
【図３】
2009251834.tif 000005
【図４】
2009251834.tif 000006
【図５】
2009251834.tif 000007
【図６】
2009251834.tif 000008
【図７】
2009251834.tif 000009
【図８】
2009251834.tif 000010
【図９】
2009251834.tif 000011
【図１０】
2009251834.tif 000012
【図１１】
2009251834.tif 000013